(57)【要約】【課題】キャビネットの周縁部に沿って該キャビネットに取付けられる装飾帯体の端部を隠蔽する隠蔽体の取付作業性を高めるとともに、衝撃力による隠蔽体の脱落を防ぐことができる表示装置を提供する。【解決手段】前側に表示面１１ａを有する表示部１の周縁部を被覆するキャビネット２の周縁部に沿って該キャビネット２に取付けられる装飾帯体４と、該装飾帯体４の端部を隠蔽する隠蔽部５１及び該隠蔽部５１の装飾帯体側に連なる可撓爪５２を有する隠蔽体５と、表示部１の後側を被覆するカバー体３とを備え、可撓爪５２を係止する係止孔２５をキャビネット２に設け、可撓爪５２の撓みを規制する規制部６をカバー体３に設け、カバー体３の装着により可撓爪５２の撓みを防ぐようにした。【選択図】図２
2010015054.tif 000002
【特許請求の範囲】
【請求項１】
前側に表示面を有する表示部と、該表示部の周縁部を被覆するキャビネットとを備えた表示装置において、前記キャビネットの周縁部に沿って該キャビネットに取付けられる装飾帯体と、該装飾帯体の端部を隠蔽する隠蔽部及び該隠蔽部の装飾帯体側に連なる可撓爪を有する隠蔽体と、前記キャビネットに配され前記可撓爪を係止する係止部と、該係止部に係止された前記可撓爪の撓みを規制する規制部とを備えることを特徴とする表示装置。
【請求項２】
前記キャビネットは矩形環状をなし、前記装飾帯体は前記キャビネットの四辺に個別に配してあり、前記隠蔽体は前記キャビネットの四隅に配され、隣合う装飾帯体の前記四隅での端部同士を隠蔽してある請求項１記載の表示装置。
【請求項３】
前記表示部の後側を被覆するカバー体を備え、該カバー体に前記規制部を配してある請求項１又は２記載の表示装置。
【請求項４】
前記規制部は前記表示部に配してある請求項１又は２記載の表示装置。
【請求項５】
前記可撓爪及び規制部は、前記キャビネットとカバー体との上下方向及び横方向の相対位置、又は前記キャビネットと表示部との上下方向及び横方向の相対位置を決める位置決め手段を兼ねている請求項３又は４記載の表示装置。
【請求項６】
前記可撓爪は前記規制部が嵌入されるスリットを有する請求項１から５のいずれか一つに記載の表示装置。
【請求項７】
前記可撓爪夫々の前記スリットはキャビネットの対角方向に配してある請求項６記載の表示装置。
【請求項８】
前記可撓爪の二つは、前記スリットの長手方向が上下方向に配され、他の二つは、前記スリットの長手方向が横方向に配されている請求項６記載の表示装置。
【発明の詳細な説明】
【技術分野】
【０００１】
本発明は液晶表示装置、プラズマ表示装置、ＳＥＤディスプレイ、ＥＬディスプレイ等の表示装置に関する。
【背景技術】
【０００２】
テレビジョン等の表示装置は、画像を表示する表示面を前側に有する表示部と、該表示部の周縁部に被嵌して該周縁部を被覆する枠形のキャビネットと、前記表示部の後側を被覆するカバー体とを備え、キャビネット及びカバー体の周縁部がボルトにより表示部に取付けられている（例えば、特許文献１参照）。
【０００３】
また、複数の押し部が並べて一体に連結されている押し釦の連結部を、該連結部を隠蔽して装飾する装飾板によりキャビネットに取付けてある電気機器も知られている（例えば、特許文献２参照）。この電気機器の押し釦は、連結部を貫通する嵌合孔及び連結部と反対の縁部から延出された係止爪を有し、装飾板は、前記連結部を隠蔽する隠蔽部の内側へ凸の可撓爪及び該可撓爪と対向し、前記嵌合孔に嵌入される嵌合リブを有し、キャビネットは、係止爪及び可撓爪が挿嵌される二つの爪掛け孔を有する。
【０００４】
このように構成された電気機器は、押し釦の係止爪が一方の爪掛け孔に挿嵌係止された状態で装飾板の嵌合リブを押し釦の嵌合孔に嵌入し、可撓爪を他方の爪掛け孔に挿嵌係止することにより、押し釦の連結部をキャビネットに取付けることができる。
【特許文献１】特開２００４−１５１３０５号公報
【特許文献２】実開昭６４−４４５４１号公報
【発明の開示】
【発明が解決しようとする課題】
【０００５】
本発明の出願人は、特許文献１に記載されているような液晶の表示装置において、矩形をなすキャビネットの四辺に、押出し成形された装飾帯体を貼付ることにより、キャビネットの周縁部を装飾した液晶テレビジョンを先に開発した。
【０００６】
ところが、装飾帯体は押出し成形材を適宜の長さに切断して使用されるため、装飾帯体の端縁が尖鋭状となり、また、端縁にバリが発生するため、端縁を面取する等の仕上げ加工が必要であり、この端縁の仕上げ加工によるコストが比較的高くなる。
【０００７】
そこで、キャビネットの四辺に貼付けられた装飾帯体の端部を隠蔽する隠蔽部を有する隠蔽体を設け、キャビネットの四隅には螺子孔を開設し、隠蔽部に設けられている貫通孔に挿入する雄螺子を前記螺子孔に捩込むことにより隠蔽体を固定し、装飾帯体の端縁の仕上げ加工をなくするように改善した。
【０００８】
しかし、隠蔽体を雄螺子で固定する改善策では、隠蔽体の固定作業性が悪くなり、また、リサイクル時の分解作業性が悪くなり、さらなる改善策が要望されていた。
【０００９】
ところで、隠蔽体の雄螺子による固定をなくするには、特許文献２に記載されているように、隠蔽体に可撓爪を設けるとともに、該可撓爪が挿嵌係止される被係止孔をキャビネットに設け、隠蔽体の可撓爪を被係止孔に挿嵌することにより隠蔽体を取付けることが考えられる。
【００１０】
しかし、可撓爪により隠蔽体を取付ける構成にあっては、段ボール箱等により梱包された表示装置の運搬時に衝突したり、転倒したりすることにより、表示装置に衝撃力が加わった際、前記可撓爪が被係止孔内で撓み、該可撓爪の被係止孔との係合が外れ、隠蔽体が脱落する可能性がある。
【００１１】
本発明は斯かる事情に鑑みてなされたものであり、主たる目的はキャビネットの周縁部に沿って該キャビネットに取付けられる装飾帯体の端部を隠蔽する隠蔽部に可撓爪を設け、該可撓爪の撓みを規制する規制部を設けることにより、隠蔽体の取付作業性を高めるとともに、衝撃力による可撓爪の撓みをなくし、隠蔽体の脱落を防ぐことができ、また、リサイクル時の分解作業性を高めることができる表示装置を提供することにある。
【課題を解決するための手段】
【００１２】
本発明に係る表示装置は、前側に表示面を有する表示部と、該表示部の周縁部を被覆するキャビネットとを備えた表示装置において、前記キャビネットの周縁部に沿って該キャビネットに取付けられる装飾帯体と、該装飾帯体の端部を隠蔽する隠蔽部及び該隠蔽部の装飾帯体側に連なる可撓爪を有する隠蔽体と、前記キャビネットに配され前記可撓爪を係止する係止部と、該係止部に係止された前記可撓爪の撓みを規制する規制部とを備えることを特徴とする。
【００１３】
この発明にあっては、キャビネットの周縁部を装飾する装飾帯体の端部を隠蔽するための隠蔽体の可撓爪をキャビネットの係止部に係止することにより、隠蔽体をキャビネットに簡易に取付けることができ、また、係止された可撓部の撓みを規制部が規制しているため、衝撃力による可撓爪の撓みをなくすることができ、隠蔽体の脱落を防ぐことができる。また、リサイクル時には規制部による可撓爪の撓み規制を解除することにより、可撓爪を撓ませて隠蔽体を容易に取外すことができ、リサイクル時の分解作業性を高めることができる。
【００１４】
また、本発明に係る表示装置は、前記キャビネットは矩形環状をなし、前記装飾帯体は前記キャビネットの四辺に個別に配してあり、前記隠蔽体は前記キャビネットの四隅に配され、隣合う装飾帯体の前記四隅での端部同士を隠蔽してある構成とするのが好ましい。
この発明にあっては、キャビネットの四辺に個別に配してある装飾帯体の四隅での両端部を、キャビネットの四隅に配する隠蔽体により隠蔽することができ、隠蔽体の個数を低減できるとともに、装飾帯体を設けることによる作業工数の増加を抑制でき、コストの上昇を抑制できる。
【００１５】
また、本発明に係る表示装置は、前記表示部の後側を被覆するカバー体を備え、該カバー体に前記規制部を配してある構成とするのが好ましい。
この発明にあっては、表示部の後側を被覆するカバー体が規制部を有するため、規制部による部品点数の増加がなく、また、カバー体の装着作業工程で可撓爪の撓みを規制することができるため、規制部を設けることによる作業工数の増加がなく、コストの上昇をより一層抑制できる。また、カバー体の取外しにより可撓爪の撓み規制を解除することができるため、リサイクル時の分解作業性をより一層高めることができる。
【００１６】
また、本発明に係る表示装置は、前記規制部は前記表示部に配してある構成とするのが好ましい。
この発明にあっては、キャビネットにより周縁部が被覆される表示部に規制部が設けられているため、規制部による部品点数の増加がなく、また、キャビネットの装着作業工程で可撓爪の撓みを規制することができるため、規制部を設けることによる作業工数の増加がなく、コストの上昇をより一層抑制できる。
【００１７】
また、本発明に係る表示装置は、前記可撓爪及び規制部は、前記キャビネットとカバー体との上下方向及び横方向の相対位置、又は前記キャビネットと表示部との上下方向及び横方向の相対位置を決める位置決め手段を兼ねている構成とするのが好ましい。
この発明にあっては、隠蔽体の可撓爪及び規制部以外に特別の位置決め手段を設けることなく、キャビネットとカバー体、又はキャビネットと表示部との上下方向及び横方向の相対位置を決めることができるため、構造を複雑にすることなく、キャビネット又はカバー体の適正位置への装着作業性を高めることができる。
【００１８】
また、本発明に係る表示装置は、前記可撓爪は前記規制部が嵌入されるスリットを有する構成とするのが好ましい。
この発明にあっては、可撓爪の撓み性を高めることができ、隠蔽体の取付作業性を向上することができるとともに、規制部を比較的小形にできる。
【００１９】
また、本発明に係る表示装置は、前記可撓爪夫々の前記スリットはキャビネットの対角方向に配してある構成とするのが好ましい。
この発明にあっては、キャビネットに取付けられる隠蔽体と、表示部又はカバー体に設けられる規制部とにより、キャビネットと表示部との上下方向及び横方向の相対位置、又は、キャビネットとカバー体との上下方向及び横方向の相対位置を決めることができるため、キャビネット又はカバー体の適正位置への装着作業性を高めることができる。
【００２０】
また、本発明に係る表示装置は、前記可撓爪の二つは、前記スリットの長手方向が上下方向に配され、他の二つは、前記スリットの長手方向が横方向に配されている構成とするのが好ましい。
この発明にあっては、キャビネットに取付けられる隠蔽体と、表示部又はカバー体に設けられる規制部とにより、キャビネットと表示部との上下方向及び横方向の相対位置、又は、キャビネットとカバー体との上下方向及び横方向の相対位置を決めることができるため、キャビネット又はカバー体の適正位置への装着作業性を高めることができる。
【発明の効果】
【００２１】
本発明によれば、キャビネットの周縁部を装飾する装飾帯体の端部を隠蔽するための隠蔽体を、該隠蔽体が有する可撓爪により簡易に取付けることができ、しかも、可撓爪の撓みを規制部により規制することができるため、衝撃力による可撓爪の撓みをなくすることができ、隠蔽体の脱落を防ぐことができる。
【発明を実施するための最良の形態】
【００２２】
以下本発明をその実施の形態を示す図面に基づいて詳述する。図１は本発明に係る表示装置の構成を示す正面図、図２は図１のII−II線の拡大縦断側面図、図３は図１のIII −III 線の拡大横断底面図、図４は図１のIV−IV線の拡大断面図である。
【００２３】
図示した表示装置はテレビ画像を表示する表示面を前側に有し、略直方体をなす表示部１と、該表示部１の周縁部に被嵌して該周縁部を被覆するキャビネット２と、表示部１の後側を被覆するカバー体３とを備え、スタンドに表示部１が支持されるか、又は壁掛具により表示部１が壁掛けされる液晶テレビジョン、換言すると液晶表示装置である。
【００２４】
表示部１は、前側に表示面１１ａを有し略直方体をなす表示パネル１１と、該表示パネル１１の周縁部を前後で保持した略四角形をなす二つの保持枠体１２，１３と、表示パネル１１の後側に配された拡散板等の光学シート１４と、該光学シート１４の後側に配された光源１５と、該光源１５の後側に配された回路基板及び電源基板等の電気部品とを備える。保持枠体１２，１３の外縁部は複数本の雄螺子により結合され、パネルモジュールになっている。
【００２５】
光源１５は、複数本が上下に離隔して並置されている円筒形をなすランプ１６と、該ランプ１６を収容支持し、且つ光学シート１４の周縁部を支持する深皿形をなすケース１７とを備え、ケース１７の後壁外面に回路基板等の電気部品が取付けられている。
【００２６】
ケース１７は略矩形をなす後壁１７ａ及び該後壁１７ａの周縁に連なる枠部１７ｂを有し、該枠部１７ｂの前縁に連なる結合片１７ｃに保持枠体１２，１３の外縁部が複数本の雄螺子により取付けられている。後壁１７ａの縁部後面には、挿通孔を有し、板状をなす複数の取付部１８が周方向へ離隔して取付けられており、また、後壁１７ａの下部にスタンドが取付けられる。また、ケース１７内には光学シート１４の周縁部を支持するシート受体１９が配されている。
【００２７】
キャビネット２は、表示パネル１１の周縁部前側に配され、前側の保持枠体１２の前面を覆い、上部及び下部が長辺の矩形をなす環板部２１と、該環板部２１の外縁部に突設され、保持枠体１２の周縁部を覆う角筒部２２とを有し、合成樹脂により成形されている。
【００２８】
環板部２１の内外縁間の前面には環状の細溝２３が設けられ、該細溝２３及び外縁間が、前記表示面１１ａに対して傾斜しており、該傾斜する面に、キャビネット２の周縁部を装飾する４個の装飾帯体４が周縁に沿って取付けられている。環板部２１の後面には前記取付部１８に開設されている挿通孔に対応する筒形ボスが周方向へ離隔して複数設けられている。また、キャビネット２の四隅には環板部２１及び角筒部２２が窪み、装飾帯体４夫々の両端部を隠蔽する隠蔽体５を取付けるための凹所２４が設けられ、該凹所２４に、前後方向へ貫通する係止孔２５及び係止孔２５の前縁からラッパ状に広がる案内面２５ａが設けられている。尚、係止孔２５が係止部を構成している。
【００２９】
装飾帯体４は幅方向の一縁にリブを有する平板の帯状をなし、アルミニウム材を押出し成形してなり、環板部２１の四辺の長さよりも若干短い長さに切断されている。また、装飾帯体４は環板部２１の四辺に個別に配され、接着剤で貼付けられており、両端部は図４に示すように凹所２４と向き合う位置に配されている。
【００３０】
隠蔽体５は、隣合う装飾帯体４の端部同士を前記四隅で隠蔽する矩形板状の隠蔽部５１及び該隠蔽部５１の装飾帯体側中央部に連なり、後方へ凸の可撓爪５２を有する合成樹脂製である。また、隠蔽体５は、隠蔽部５１の前縁から後方へ突出するリブ５ａと、後縁から後方へ突出する板壁部５ｂとを有し、凹所２４を閉塞している。
【００３１】
可撓爪５２はスリット５３により分断された二つの脚部５２ａ，５２ａの先端に爪部５２ｂが設けられており、脚部５２ａ，５２ａの撓みにより脚部５２ａ，５２ａが係止孔２５へ挿入され、脚部５２ａ，５２ａの弾性復元により爪部５２ｂが係止孔２５の縁周りに係止されるように構成されている。
【００３２】
カバー体３は光源１５及び電気部品等を覆い、矩形をなす皿形覆部３１と、該皿形覆部３１の周縁に連なる角筒部３２とを有し、合成樹脂により一体に成形されている。角筒部３２の前記挿通孔及び筒形ボスに対応する個所には筒形ボスが設けられている。角筒部３２の四隅で、係止孔２５に対応する個所には、前方へ凸の規制部６が一体に成形され、規制部６が可撓爪５２のスリット５３へ嵌入されることにより、可撓爪５２の脚部５２ａ，５２ａの弾性復元を防ぎ、爪部５２ｂが係止孔２５から抜け出るのを防ぐように構成されている。
【００３３】
規制部６は断面矩形の角柱形をなし、カバー体３と一体成形されている。
【００３４】
以上のように構成された表示装置は、表示部１の後側に取着されたスタンドにより、表示部１の起立状態が維持され、この表示部１の起立状態でキャビネット２が表示部１の前側周縁部に嵌込まれ、カバー体３が表示部１の後側に嵌込まれ、該カバー体３の筒形ボスへ挿入される雄螺子を、取付部１８の挿通孔へ挿通し、キャビネット２の筒形ボスに捩込むことにより、キャビネット２及びカバー体３が表示部１のケース１７に取付けられる。
【００３５】
キャビネット２の環板部２１には予め装飾帯体４が接着剤により貼付けられ、キャビネット２の周縁部が装飾されており、また、キャビネット２の四隅位置の凹所２４には隠蔽体５が予め取付けられ、隣合う装飾帯体４の端部同士を前記四隅で隠蔽体５が隠蔽している。
【００３６】
隠蔽体５は、凹所２４の係止孔２５に可撓爪５２を嵌入することによりキャビネット２に取付けることができる。この際、二つの脚部５２ａ，５２ａの先端が案内面２５ａに当接し、脚部５２ａ，５２ａが撓みつつ爪部５２ｂが係止孔２５に挿入され、脚部５２ａ，５２ａの弾性復元により爪部５２ｂが係止孔２５の縁周りに係止される。
【００３７】
キャビネット２が嵌込まれた後、カバー体３が嵌込まれるとき、該カバー体３の角筒部３２と一体成形されている規制部６が、キャビネット２に取付けられている隠蔽体５の可撓爪５２のスリット５３に嵌入され、可撓爪５２の脚部５２ａ，５２ａの撓みを規制することができる。因って、段ボール箱等により梱包された表示装置の運搬時に衝突したり、転倒したりすることにより衝撃力が表示装置に加わることがあっても、隠蔽体５の脱落を防ぐことができ、隠蔽体５の脱落による品位低下をなくすることができる。
【００３８】
図５は隠蔽体５部分の他の構成を示す拡大縦断側面図である。この実施の形態では、カバー体３に規制部６を設ける代わりに、ケース１７に取付けられる取付部１８に規制部６ａを一体に設け、キャビネット２が表示部１の周りに嵌込まれる際、規制部６ａが可撓爪５２のスリット５３に嵌入されるように構成したものである。
【００３９】
取付部１８は、ケース１７の後壁１７ａに雄螺子により取付けられる取付板部１８ａの一縁部に、前方へ凸の柱形ボス１８ｂが一体成形された合成樹脂製であり、柱形ボス１８ｂの前端に規制部６ａが一体に設けられている。規制部６ａは断面矩形の角柱形をなしている。
【００４０】
この実施の形態にあっては、起立状態の表示部１の前側周縁部にキャビネット２が嵌込まれる際、表示部１の取付部１８に設けられている規制部６ａが、キャビネット２に取付けられている隠蔽体５の可撓爪５２のスリット５３に嵌入される。因って、可撓爪５２の脚部５２ａ，５２ａの撓みを規制部６ａにより規制することができるため、段ボール箱等により梱包された表示装置の運搬時に衝突したり、転倒したりすることにより衝撃力が表示装置に加わることがあっても、隠蔽体５の脱落を防ぐことができ、隠蔽体５の脱落による品位低下をなくすることができる。また、取付部１８と一体に規制部６ａが成形されているため、規制部６ａによる部品点数の増加をなくすることができる。
【００４１】
図６は隠蔽体５の配置例を示す模式的説明図である。この実施の形態では、キャビネット２の四隅位置の可撓爪５２に設けられるスリット５３をキャビネット２の対角方向に配し、断面矩形の角柱形をなす規制部６を、長辺がカバー体３の対角方向となるように配し、また、規制部６ａを、長辺がキャビネット２の対角方向となるように配したものである。可撓爪５２の脚部５２ａ，５２ａはスリット５３の両側に配してある。
【００４２】
この実施の形態にあっては、前述のようにキャビネット２が嵌込まれた後、規制部６を設けてあるカバー体３が嵌込まれるとき、該カバー体３のキャビネット２に対する上下方向及び横方向の相対位置を、可撓爪５２及び規制部６により正確に決めることができる。このように可撓爪５２及び規制部６がカバー体３の位置決め手段を兼ねているため、カバー体３の装着作業性を高めることができる。
【００４３】
また、前述のように規制部６ａを設けてある表示部１にキャビネット２が嵌込まれるとき、該キャビネット２の表示部１に対する上下方向及び横方向の相対位置を、可撓爪５２及び規制部６ａにより正確に決めることができる。このように可撓爪５２及び規制部６ａがキャビネット２の位置決め手段を兼ねているため、キャビネット２の装着作業性を高めることができる。
【００４４】
図７は隠蔽体５の他の配置例を示す模式的説明図である。この実施の形態では、四隅で上側に配される二つの可撓爪５２，５２を、スリット５３の長手方向が上下方向となるように配し、四隅で下側に配される二つの可撓爪５２，５２を、スリット５３の長手方向が横方向となるように配したものである。
【００４５】
この実施の形態にあっても、前述のようにキャビネット２が嵌込まれた後、規制部６を設けてあるカバー体３が嵌込まれるとき、該カバー体３のキャビネット２に対する上下方向及び横方向の相対位置を、可撓爪５２及び規制部６により正確に決めることができる。このように可撓爪５２及び規制部６がカバー体３の位置決め手段を兼ねているため、カバー体３の装着作業性を高めることができる。
【００４６】
また、前述のように規制部６ａを設けてある表示部１にキャビネット２が嵌込まれるとき、該キャビネット２の表示部１に対する上下方向及び横方向の相対位置を、可撓爪５２及び規制部６ａにより正確に決めることができる。このように可撓爪５２及び規制部６ａがキャビネット２の位置決め手段を兼ねているため、キャビネット２の装着作業性を高めることができる。
【００４７】
尚、以上説明した実施の形態では、隠蔽体５の可撓爪５２にスリット５３を設けたが、その他、可撓爪５２はスリット５３がなく、一つの脚部５２ａの先端に爪部５２ｂを有する構成とし、該可撓爪５２の撓みを規制する位置に規制部６又は規制部６ａが配される構成としてもよく、可撓爪５２の構成は特に制限されない。
【００４８】
また、以上説明した実施の形態では、カバー体３をキャビネット２とともに表示部１のケース１７に取付ける構成としたが、その他、カバー体３とキャビネット２とを別々に表示部１の例えばケース１７に取付ける構成としてもよいし、また、キャビネット２を表示部１に取付け、該キャビネット２にカバー体３を取付ける構成としてもよい。
【００４９】
また、本発明に係る表示装置は液晶テレビジョン等の液晶表示装置である他、プラズマ表示装置、ＥＬディスプレイ等の表示装置であってもよい。
【図面の簡単な説明】
【００５０】
【図１】本発明に係る表示装置の構成を示す正面図である。
【図２】図１のII−II線の拡大縦断側面図である。
【図３】図１のIII −III 線の拡大横断底面図である。
【図４】図１のIV−IV線の拡大断面図である。
【図５】本発明に係る表示装置の隠蔽体部分の他の構成を示す拡大縦断側面図である。
【図６】本発明に係る表示装置の隠蔽体の配置例を示す模式的説明図である。
【図７】本発明に係る表示装置の隠蔽体の他の配置例を示す模式的説明図である。
【符号の説明】
【００５１】
１    表示部
１１ａ  表示面
２    キャビネット
３    カバー体
４    装飾帯体
５    隠蔽体
５１  隠蔽部
５２  可撓爪
５３  スリット
６，６ａ  規制部
【図１】
2010015054.tif 000003
【図２】
2010015054.tif 000004
【図３】
2010015054.tif 000005
【図４】
2010015054.tif 000006
【図５】
2010015054.tif 000007
【図６】
2010015054.tif 000008
【図７】
2010015054.tif 000009